(57)【要約】【課題】手間がかからずに紙類を保持できる紙類保持具、及び安価な紙類保持体、紙類保持ファイルを提供する。【解決手段】紙類保持具１は、基材２に固定されて使用され、紙類Ｐを保持するためのものであって、先端に設けられたガイド部５、ガイド部５と連結され、紙類Ｐを押さえる押さえ部６、押さえ部６と連結され、紙類Ｐの一端を支持する懐部７を有するへの字状の第一部材３と、押さえ部６の懐部７側の端部を上側から押圧する押圧部８、押圧部８と連結され、懐部７を外側から覆う覆い部９、覆い部９と略垂直に連結され、基材２に固定される固定部１０を有するコの字状の第二部材４とを備えている。そして、この紙類保持具１は、第一部材３が弾発力を有する部材で構成され、基材２に固定された状態において、押さえ部６が押圧部８から押圧されることで、腰バネとして作用し、紙類Ｐの出し入れが自在にできる構成をとる。【選択図】図２
2019209487.tif 000002
【特許請求の範囲】
【請求項１】
基材に固定されて使用され、紙類を保持するための紙類保持具であって、
先端に設けられたガイド部、前記ガイド部と連結され、前記紙類を押さえる押さえ部、前記押さえ部と連結され、前記紙類の一端を支持する懐部を有する、への字状の第一部材と、
前記押さえ部の前記懐部側の端部を上側から押圧する押圧部、前記押圧部と連結され、前記懐部を外側から覆う覆い部、前記覆い部と略垂直に連結され、前記基材に固定される固定部を有する、コの字状の第二部材と、を備え、
前記第一部材は、弾発力を有する素材で構成され、
前記基材に固定された状態において、前記押さえ部は、前記押圧部から押圧されることで、腰バネとして作用し、前記紙類の出し入れが自在にできる、
ことを特徴とする紙類保持具。
【請求項２】
前記押圧部の先端が、コの字状に折り曲げられ、折り曲げられた先端部によって、前記押さえ部が押圧される、
ことを特徴とする請求項１に記載の紙類保持具。
【請求項３】
請求項１又は請求項２に記載の紙類保持具が、廃材の紙体に設けられた紙類保持体であって、
前記紙類保持具が、前記押さえ部が前記紙体のおもて面、前記取付け部が前記紙体のうら面となるように、前記紙体の下辺縁部の中央に一つ、前記紙体の右辺縁部に複数固定されている、
ことを特徴とする紙類保持体。
【請求項４】
請求項１又は請求項２に記載の紙類保持具が、紙体に設けられた紙類保持ファイルであって、
前記紙体は、廃材同士がつなぎ合わされることで構成され、つなぎ合わされた部分を折り畳み部とし、
前記紙類保持具が、前記押さえ部が前記紙体の内側、前記取付け部が前記紙体の外側となるように、前記紙体の下辺縁部の中央に一つ、前記紙体の右辺縁部に複数固定されている、
ことを特徴とする紙類保持ファイル。
【発明の詳細な説明】
【技術分野】
【０００１】
本発明は、紙類保持具、この紙類保持具を備えた紙類保持体、及び紙類保持具を備えた紙類保持ファイルに関するものである。
【背景技術】
【０００２】
従来から、紙類にとじ孔を空けた後、この綴じ孔に綴じ部材を通した後、綴じ具（綴じリング）で綴じるタイプのファイルが知られている（例えば、特許文献１）。一方、紙類に綴じ孔を空けずに、バネを備えるリンクレバー式の留め具によって、紙類を綴じるファイルも知られている。
【先行技術文献】
【特許文献】
【０００３】
【特許文献１】特開２０１８−３４３６５号公報
【発明の概要】
【発明が解決しようとする課題】
【０００４】
特許文献１のファイルを使用場合、紙類に必ず綴じ孔を空ける必要が生じるため、手間が生じる。また、ファイリングされた紙類を取り出す場合、目的の紙類の上に綴じられたファイルを一端取り外してから、目的の紙類を取り出さなければいけない。
また、バネを備える留め具によって綴じられたファイルから、目的の紙類を取り出す場合、バネの付勢力を一端解除してから、目的の紙類を取り出さなければならず、手間が生じる。
また、取り外した紙類は、再度ファイルに綴じずに、いつでも取り出せるようにしたいという要望もある。
【０００５】
そこで、本発明は、手間がかからずに紙類を保持できる紙類保持具、及び安価な紙類保持体、紙類保持ファイルを提供することを目的とする。
【課題を解決するための手段】
【０００６】
本発明に係る紙類保持具は、基材に固定されて使用され、紙類を保持するためのものであって、先端に設けられたガイド部、ガイド部と連結され、紙類を押さえる押さえ部、押さえ部と連結され、紙類の一端を支持する懐部を有するへの字状の第一部材と、押さえ部の懐部側の端部を上側から押圧する押圧部、押圧部と連結され、懐部を外側から覆う覆い部、覆い部と略垂直に連結され、基材に固定される固定部を有するコの字状の第二部材とを備え、第一部材は弾発力を有する素材で構成され、基材に固定された状態において、押さえ部は、押圧部から押圧されることで、腰バネとして作用し、紙類の出し入れが自在にできることを特徴とする。
【０００７】
本発明に係る紙類保持具は、押圧部の先端が、コの字状に折り曲げられ、折り曲げられた先端部によって押さえ部を押圧されることを特徴とする。
【０００８】
本発明に係る紙類保持体は、上述の紙類保持具が、廃材の紙体に設けられた紙類保持体であって、紙類保持具は、押さえ部が紙体のおもて面、取付け部が紙体のうら面となるように、紙体の下辺縁部の中央に一つ、紙体の右辺縁部に複数固定されていることを特徴とする。
【０００９】
本発明に係る紙類ファイルは、上述の紙類保持具が、廃材の紙体に設けられた紙類保持ファイルであって、紙体は廃材同士がつなぎ合わされることで構成され、つなぎ合わされた部分を折り畳み部とし、紙類保持具は押さえ部が紙体の内側、取付け部が紙体の外側となるように、紙体の下辺縁部の中央に一つ、紙体の右辺縁部に複数固定されていることを特徴とする。
【発明の効果】
【００１０】
本発明に係る紙類保持具は、押さえ部を押圧部によって押圧することで、押さえ部が腰バネとして作用する。この押さえ部の腰バネの作用により、差し込んだ紙類やクリアファイルを押さえ部で押圧する。そのため、この紙類保持具により、挿入された紙類をしっかり保持することができる。
【００１１】
本発明に係る紙類保持体は、押さえ部が紙体のおもて面、取付け部が紙体のうら面となるように、紙体の下辺縁部の中央に一つ、紙体の右辺縁部に複数の紙類保持具が固定されている。この紙類保持具では、第二部材の固定部が紙体のうら面に面接触させるとともに、カシメ固定されているため、紙類保持具と紙体とが確実に固定される。したがって、何らかの衝撃による外力や、紙類から加わる力によって、紙体から紙類保持具が外れてしまうことを防止できる。
【００１２】
本発明に係る紙類保持ファイルは、紙類をそのまま保持することができるため、紙類にパンチで綴じ孔をあける作業をせずに、出し入れ自在にファイリングすることができる。また、紙類保持ファイルにおいて、紙類は少なくとも３箇所で保持されているのみであるため、紙類を取り出すことが容易である。したがって、この紙類保持ファイルは、使用者にとって、利用しやすいものである。
また、上記の紙類保持ファイル、及び紙類保持体の紙体は、廃材を使用するため、低コストで作成することができることに加え、環境に優しい再利用の手段となる。
【図面の簡単な説明】
【００１３】
【図１】本発明の実施形態に係る紙類保持具の斜視図である。（ａ）第一の紙類保持具、（ｂ）第二の紙類保持具
【図２】本発明の実施形態に係る紙類保持具の断面図である。（ａ）第一の紙類保持具、（ｂ）第二の紙類保持具
【図３】本発明の実施形態に係る紙類保持体及び紙類保持ファイルを示す図である。
【図４】本発明の実施形態に係る紙類保持体を既存のファイルに固定した状態を示す図である。
【図５】本発明の実施形態に係る紙類保持ファイルに書類を差し込んだ状態を示す図である。
【図６】本発明の実施形態に係る紙類保持ファイルにサイズの異なる紙類を差し込んだ状態を示す図である。
【発明を実施するための形態】
【００１４】
本実施形態に係る紙類保持具、紙類保持体、紙類保持ファイルを、図１〜図６を参照し説明する。
紙類保持具１は、図１に示すように、基材２に固定されて使用され、紙類Ｐを保持するものである。紙類Ｐの種類は特に限定されず、例えば、帳票、資料、書類、新聞、雑誌、メモ帳が想定され、さらに、保持される対象は、これらの紙類Ｐが収容されたクリアファイルや封筒等も含まれる。
基材２には、例えば、牛乳パック、段ボールを切断した紙材や、下敷きなどのプラスチック製品が使用される。この紙類保持具１と基材２との間に紙類が挿入される。
本実施形態では、図１（ａ）及び図１（ｂ）に示すように、２種類の紙類保持具１を例に挙げて説明する。以下、図１（ａ）に示したものを第一の紙類保持具１Ａ、図１（ｂ）に示したものを第二の紙類保持具１Ｂとする。
【００１５】
紙類保持具１は、図２に示すように、への字状の第一部材３と、この第一部材３に固定されたコの字状の第二部材４とを備えている。
第一部材３は、弾発力のある素材で構成され、この第一部材３には、例えば、プラスチック素材を使用できる。第一部材３は、矩形状のプラスチック素材を折り曲げられることにより、作製される。このプラスチック素材には、例えば、長さが７ｃｍから４ｃｍ、幅が１．５ｃｍから２．５ｃｍのものを使用する。
【００１６】
第一部材３は、先端に形成されたガイド部５と、このガイド部５と連結され、紙類Ｐを押さえる押さえ部６と、この押さえ部６と連結され、紙類Ｐの一端を支持する懐部７とを有している。ガイド部５は、紙類保持具１が基材２に固定された際、斜め上向きとなるように形成されている。懐部７は、直線状の部材であり、第一部材３が基材２に固定された際、基材２に対し、ほぼ垂直となる。この懐部７は、紙類Ｐの一端部を支持するものである。押さえ部６は、懐部７から斜め下方向に向けて形成されている。
懐部７の長さＷは、例えば５ｍｍから１５ｍｍとすることができる。この長さＷは、適宜変更することができ、
【００１７】
第二部材４は、押さえ部６の懐部７側の端部を上側から押圧する押圧部８と、この押圧部８と連結され、懐部７の外側から覆う覆い部９と、押圧部８と対向するように覆い部９と略垂直に連結され、基材２に固定される固定部１０とを有している。
この第二部材４は、例えば、押圧部８と押さえ部６とをホッチキスや両面テープの固定手段により、第一部材３に固定される。
固定部１０の長さは、押圧部８の長さよりも長く形成されている。固定部１０は、例えば、両面テープやホッチキスによって基材２に固定することで、第二部材４が基材２に固定される。
【００１８】
第一の紙類保持具１Ａでは、押圧部８は直線状に形成されているため、押圧部８によって、押さえ部６と懐部７とが接続されている領域が押圧される。押さえ部６は、押圧部８から押圧されることで、腰バネとして作用する（図２（ａ））。
基材２に固定された状態で、第一の紙類保持具１Ａのガイド部５は、基材２から所定の距離だけ離れ、基材２とガイド部５との間には隙間が形成されている。この隙間を介して紙類Ｐが出し入れされる。
【００１９】
第二の紙類保持具１Ｂでは、押圧部８の先端がコの字状に折り曲げられた折り曲げ部８Ａ、押さえ部６において、懐部７との接続されている部分から所定の距離だけ離れた部分が折り曲げ部８Ａによって押圧される。押さえ部６は、第一の紙類保持具１Ａと同様に、押圧部８から押圧されることで、腰バネとして作用する（図２（ｂ））。
基材２に固定された状態で、第二の紙類保持具１Ｂのガイド部５の一部は、基材２に当接され、ガイド部５の先端部と基材２との間には、隙間が形成されている。
【００２０】
次に、本実施形態に係る紙類保持体１１について説明する。
紙類保持体１１は、図３（ａ）に示すように、矩形状の紙体１２と、この紙体１２の下辺縁部の中央に１つ設けられた紙類保持具１、及び紙体１２の右辺縁部に２つ設けられた紙類保持具１とを有している。
紙体１２は、ある程度の強度を有するものを使用し、この紙体１２には、例えば、使用済みの牛乳パックを使用できる。なお、紙類保持体１１では、紙体１２が基材２の役割を担う。紙類保持具１は、押さえ部６が紙体１２のおもて面、固定部１０が紙体１２のうら面となるように固定されている。
【００２１】
この紙類保持体１１は、そのまま使用することもできるが、例えば、図４に示すように、紙製の既存のファイル１３の裏表紙１４のうら面に取り付けて使用することもできる。この場合、紙体１２のうら面の所定の位置に両面テープを貼り付け、その両面テープを介して、紙類保持体１１は裏表紙１４に固定される。
【００２２】
次に、本実施形態に係る紙類保持ファイル２０について説明する。
紙類保持ファイル２０は、図３（ｂ）に示すように、同じサイズの使用済み牛乳パックを２つ連結させた紙体２１（右側部２１Ａ、左側部２１Ｂ）と、紙体２１の一方の牛乳パックである右側部２１Ａ（図３（ｂ）右側）の下辺縁部の中央に１つ設けられた紙類保持具１、及び紙体２１の右辺縁部に２つ設けられた紙類保持具１とを有している。使用済みの牛乳パックが連結された部分は、連結部２２となる。連結部２２は、牛乳パックの端部を重ねて、両面テープやホッチキスで連結される。牛パックの内側が紙類保持ファイル２０の外側、牛パックの外側が紙類保持ファイル２０の内側となるように折り畳まれる。
また、紙類保持ファイル２０において、右側部２１Ａは、紙類Ｐを保持する裏表紙を構成し、左側部２１Ｂは、紙類Ｐを保持する表表紙を構成する。
【００２３】
紙類保持ファイル２０は、図５に示すように、使用する際、紙類保持具１の押さえ部６が紙類保持ファイル２０の内側となるように、連結部２２を折り畳んで使用され、連結部２２は折り畳み部として機能する。この連結部２２の幅は、保持する紙類Ｐの厚みによって、適宜変更できる。
【００２４】
次に、本実施形態に係る紙類保持具１、紙類保持体１０、及び紙類保持ファイル２０の作用効果について説明する。
【００２５】
本実施形態に係る紙類保持具１は、押さえ部６を押圧部８によって押圧することで、腰バネとして作用する。第一の紙類保持具１Ａでは、ガイド部５と基材２（紙体１２，２１）との隙間よりも大きい厚さを有する紙類Ｐを挿入した場合、押さえ部６の腰バネの作用により、紙類Ｐを押圧する。そのため、挿入した紙類Ｐをしっかり保持することができる。
一方、第二の紙類保持具１Ｂでは、ガイド部５の基端部が基材２（紙体１２，２１）と接触し、押さえ部６は基材２（紙体１２，２１）を押圧する。そうすると、数枚の紙類Ｐを差し込んだ場合でも、挿入した紙類Ｐをしっかり保持することができる。
また、本実施形態に係る紙類保持具１の構造は簡単であり、プラスチック素材を使用するため、低コストで作成することができる。
【００２６】
右辺縁部に設ける紙類保持具１は、差し込む紙類Ｐの厚さや種類によって、第一の紙類保持具１Ａと第二の紙類保持具１Ｂを使い分けて設けることができる。また、下辺縁部に設けられる紙類保持具１は、紙類Ｐの下端部を支持すればよいため、第一の紙類保持具１Ａを使用することが好ましい。
【００２７】
本実施形態の紙類保持具１の押さえ部６が紙類Ｐを押さえる力は、押圧部８によって、調整することができる。本実施形態の紙類保持具１Ｂでは、押圧部８の先端が折り曲げられた形成された折り曲げ部８Ａを有し、この折り曲げ部８Ａが押さえ部６の基端部から所定の距離離れた箇所を押圧することで、押さえ部６が紙類Ｐを押さえる力を強くすることができる。なお、押圧部８は、押さえ部６の基端部の近傍を上側から押さえることで、押さえ部６を補強する役割も担う。
【００２８】
本実施形態に係る紙類保持体１０及び紙類保持ファイル２０は、紙類保持具１が、下辺縁部に１つ、右辺縁部に２つずつ設けられ、紙類Ｐは、基材２（紙体１２，２１）と押さえ部６との間に保持されるため、紙類Ｐは少なくとも３箇所で保持される。そのため、紙類Ｐは、紙類保持具１でしっかり保持され、紙類保持体１０や紙類保持ファイル２０から脱落しづらくなる。
【００２９】
本実施形態に係る紙類保持体１０及び紙類保持ファイル２０は、上辺縁部に、紙類保持具１が設けられていないため、保持されている紙類Ｐを上辺側から自在に出し入れすることができる。さらに、本実施形態の紙類保持具１を使用することで、紙類Ｐに綴じ孔を空ける必要がなくなり、紙類Ｐのファイリングの手間を省くことができる。
また、この紙類保持体１０及び紙類保持ファイル２０には、紙類Ｐのみならず、紙類Ｐを収容したクリアファイル等も保持することができる。
【００３０】
本実施形態に係る紙類保持具１は、適度な力で紙類Ｐを押さえる。そのため、紙類保持具１に挿入する際、及び紙類保持具１から取り出す際に、大きな力が必要とならない。したがって、紙類Ｐを紙類保持具１に出し入れしやすい。
【００３１】
本実施形態に係る紙類保持具１では、懐部７に対する押さえ部６の角度を適宜調整することができ、押さえ部６と基材２（紙体１２，２１）との角を変更することができる。
例えば、本実施形態の紙類保持具１のように、押さえ部６が斜め下向きとすることで、紙類等の一枚単位の挿入や取り出しが簡単にできる。一方、押さえ部６が基材２（紙体１２，２１）と平行となるようにした場合、分厚い紙類Ｐの挿入及び取り出しが容易にできる。また、分厚い紙類Ｐを保持する場合、懐部７の長さも適宜変更する。
このように、基材２（紙体１２，２１）と押さえ部６との角度、及び懐部７の長さを調整することで、どのような厚さの紙類Ｐでも保持でき、多様性のある紙類保持体１１や紙類保持ファイル２０を作成することができる。
【００３２】
また、本実施形態に係る紙類保持具１では、第二部材４の固定部１０は基材２（紙体１２,２１）のうら面に面接触させるとともに、カシメ固定されている。そのため、紙類保持具１と基材２（紙体１２,２１）とは、確実に固定される。したがって、紙類保持具１は、何らかの衝撃による外力や紙類Ｐから加わる力によって、基材２（紙体１２,２１）から外れてしまうことを防止できる。
【００３３】
本実施形態に係る紙類保持体１１及び紙類保持ファイル２０は、紙類Ｐをそのまま保持することができる。そのため、紙類にパンチで孔をあけたりする作業をせずに、差し抜き自在にファイリングすることができる。さらに、紙類保持体１１や紙類保持ファイル２０において、紙類Ｐは３箇所で保持されているのみであるため、紙類Ｐを取り出すのも容易である。
そのため、本実施形態に係る紙類保持体１１及び紙類保持ファイル２０は、使用者にとって、利用しやすいものである。
【００３４】
本実施形態に係る紙類保持具１は、ガイド部５が基材２（紙体１２,２１）に対して、斜め上向きとなるように構成されている。そうすると、ガイド部５と基材２（紙体１２,２１）との間には隙間が形成されるため、紙類Ｐを紙類保持具１に差しこみやすくなる。
【００３５】
本実施形態の紙類保持ファイル２０は、紙体２１よりも大きなサイズの紙類Ｐを保持させた場合、図６に示すように、紙体２１の上側から紙類Ｐが突き出し、突き出した紙類Ｐの部分は、突き出し部３０となる。このように、突き出し部３０が生じることで、表表紙を閉じた状態でも、どのような紙類Ｐが保持されているか判別が容易となる。さらに、紙類Ｐに付箋を貼ることで、紙類保持ファイル２０に保持されている紙類の内容を確認することができる。
【００３６】
本実施形態に係る紙類保持具１は、プラスチック製素材を使用でき、紙類保持体１１の紙体１２及び紙類保持ファイル２０の紙体２１には、それぞれ使用済みの牛乳パック（廃材）を使用することができる。プラスチック製素材や牛乳パックの廃材のような部品を使用することで、紙類保持具１、紙類保持体１１、及び紙類保持ファイル２０を廉価に作成することができる。
【００３７】
以上、本実施形態について説明したが、これ以外にも、本発明の主旨を逸脱しない限り、上記実施の形態で挙げた構成を取捨選択したり、他の構成に適宜変更することが可能である。
例えば、本実施形態では、紙類保持具１を右辺縁部に２つ固定する例について説明したが、３つ以上設けることもできる。この場合、紙類Ｐの一端が保持される面積が大きくなるため、より安定して、紙類Ｐを保持することができる。
また、紙体１２，２１には、使用済みの牛乳パック以外にも、例えば、段ボール等の廃材を使用することができる。
【００３８】
また、紙類保持具１の形状、寸法、強度、材質は、本実施形態のものに限定されず、使用目的に応じて、適宜変更することができる。さらに、本実施形態では、孔を空けてファイリングするファイル１３の裏表紙に固定する例を示したが、本実施形態に係る紙類保持体１１は、紙類保持体１１が取り付けることができるサイズのものであれば、固定される対象は限定されない。例えば、強力なバネの付いたリンクレバー式の留め具を備えたファイルの裏表紙に固定することもできる。
【符号の説明】
【００３９】
１      紙類保持具
１Ａ    第一の紙類保持具
１Ｂ    第二の紙類保持具
２      基材
３      第一部材
４      第二部材
５      ガイド部
６      押さえ部
７      懐部
８      押圧部
８Ａ    折り曲げ部
９      覆い部
１０    固定部
１１    紙類保持体
１２    紙体
１３    ファイル
１４    裏表紙
２０    紙類保持ファイル
２１    紙体
２１Ａ  右側部
２１Ｂ  左側部
２２    連結部
３０    突き出し部
Ｗ      長さ
Ｐ      紙類
【図１】
2019209487.tif 000003
【図２】
2019209487.tif 000004
【図３】
2019209487.tif 000005
【図４】
2019209487.tif 000006
【図５】
2019209487.tif 000007
【図６】
2019209487.tif 000008
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
基材に固定されて使用され、紙類を保持するための紙類保持具であって、
先端に設けられたガイド部、前記ガイド部と連結され、前記紙類を押さえる押さえ部、前記押さえ部と連結され、前記紙類の一端を支持する懐部を有する、への字状の第一部材と、
前記押さえ部の前記懐部側の端部を上側から押圧する押圧部、前記押圧部と連結され、前記懐部を外側から覆う覆い部、前記覆い部と略垂直に連結され、前記基材に固定される固定部を有する、コの字状の第二部材と、を備え、
前記第一部材は、弾発力を有する素材で構成され、
前記基材に固定された状態において、前記押さえ部は、前記押圧部から押圧されることで、腰バネとして作用し、前記紙類の出し入れが自在にできる、
ことを特徴とする紙類保持具。
【請求項２】
前記押圧部の先端が、コの字状に折り曲げられ、折り曲げられた先端部によって、前記押さえ部が押圧される、
ことを特徴とする請求項１に記載の紙類保持具。
【請求項３】
請求項１又は請求項２に記載の紙類保持具が、廃材の紙体に設けられた紙類保持体であって、
前記紙類保持具が、前記押さえ部が前記紙体のおもて面、前記固定部が前記紙体のうら面となるように、前記紙体の下辺縁部の中央に一つ、前記紙体の右辺縁部に複数固定されている、
ことを特徴とする紙類保持体。
【請求項４】
請求項１又は請求項２に記載の紙類保持具が、紙体に設けられた紙類保持ファイルであって、
前記紙体は、廃材同士がつなぎ合わされることで構成され、つなぎ合わされた部分を折り畳み部とし、
前記紙類保持具が、前記押さえ部が前記紙体の内側、前記固定部が前記紙体の外側となるように、前記紙体の下辺縁部の中央に一つ、前記紙体の右辺縁部に複数固定されている、
ことを特徴とする紙類保持ファイル。